【手続補正書】
【提出日】平成17年10月5日(2005.10.5)
【手続補正１】
【補正対象書類名】明細書
【補正対象項目名】全文
【補正方法】変更
【補正の内容】
【書類名】      明細書
【発明の名称】  光伝送システム
【特許請求の範囲】
【請求項１】  無線信号と符号分割多重信号とを光信号に変換して送信する光送信装置と、前記光信号を受信する光受信装置とを備える光伝送システムであって、
前記光送信装置は、
前記無線信号を、当該無線信号の電力に基づいた増幅率で増幅する第１の増幅手段と、
前記符号分割多重信号を、当該符号分割多重信号の電力に基づいた増幅率で増幅する第２の増幅手段と、
前記第１の増幅手段の出力信号と前記第２の増幅手段の出力信号とを合波する合波手段と、
前記合波手段の出力信号を電気光変換し、光信号を生成する電気光変換手段とを備え、
前記光受信装置は、前記光信号を光電気変換する光電気変換手段を備える、光伝送システム。
【請求項２】  前記無線信号の電力と前記符号分割多重信号の電力とは異なることを特徴とする、請求項１に記載の光伝送システム。
【請求項３】  前記第１および第２の増幅率は、前記電気光変換手段への入力信号の電力が当該電気光変換手段の線形領域の上限を超えないよう設定されることを特徴とする、請求項１または２に記載の光伝送システム。
【請求項４】  前記第１および第２の増幅率は、前記光電気変換手段への入力光信号の強度が当該光電気変換手段の線形領域の上限を超えないよう設定されることを特徴とする、請求項１〜３のいずれかに記載の光伝送システム。
【請求項５】  前記光送信装置への入力信号は無線信号と符号分割多重信号とを含んでおり、
前記光送信装置は、さらに、前記入力信号を無線信号と符号分割多重信号とに分離する分離手段を含む、請求項１〜４のいずれかに記載の光伝送システム。
【請求項６】  無線信号と符号分割多重信号とを光信号に変換し送信する光送信装置と、前記光信号を受信する光受信装置とを備える光伝送システムであって、
前記光送信装置は、
前記無線信号を、当該無線信号の電力に基づいた増幅率で増幅する第１の増幅手段と、
前記符号分割多重信号を、当該符号分割多重信号の電力に基づいた増幅率で増幅する第２の増幅手段と、
前記第１の増幅手段の出力信号を電気光変換して、第１の光信号を生成する第１の電気光変換手段と、
前記第２の増幅手段の出力信号を電気光変換して、第２の光信号を生成する第２の電気光変換手段と、
前記第１の電気光変換手段の出力信号と、前記第２の電気光変換手段の出力信号とを多重し光信号として出力する多重手段とを備え、
前記光受信装置は、
前記出力光信号を、前記第１の光信号と前記第２の光信号とに分離する分離手段と、
前記第１の光信号を光電気変換する第１の光電気変換手段と、
前記第２の光信号を光電気変換する第２の光電気変換手段とを備える、光伝送システム。
【請求項７】  前記無線信号の電力と前記符号分割多重信号の電力とは異なることを特徴とする、請求項６に記載の光伝送システム。
【請求項８】  前記第１および第２の増幅率はそれぞれ、前記第１および第２の電気光変換手段への入力信号の電力が、前記第１および第２の電気光変換手段の線形領域の上限を超えないよう設定されることを特徴とする、請求項６または７に記載の光伝送システム。
【請求項９】  前記第１および第２の増幅率はそれぞれ、前記第１および第２の光電気変換手段への入力光信号の強度が、前記第１および第２の光電気変換手段の線形領域の上限を超えないよう設定されることを特徴とする、請求項６〜８のいずれかに記載の光伝送システム。
【請求項１０】  前記光送信装置への入力信号は、無線信号と符号分割多重信号とを含んでおり、
前記光送信装置は、さらに、前記入力信号を無線信号と符号分割多重信号とに分離する分離手段を含む、請求項６〜９のいずれかに記載の光伝送システム。
【請求項１１】  無線信号と符号分割多重信号とを光信号に変換し送信する光送信装置であって、
前記無線信号を、前記無線信号の電力に基づいた増幅率で増幅する第１の増幅手段と、
前記符号分割多重信号を、前記符号分割多重信号の電力に基づいた増幅率で増幅する第２の増幅手段と、
前記第１の増幅手段の出力信号と前記第２の増幅手段の出力信号とを合波する合波手段と、
前記合波手段の出力信号を電気光変換して、光信号を生成する電気光変換手段とを備える、光送信装置。
【請求項１２】  前記無線信号の電力と前記符号分割多重信号の電力とは異なることを特徴とする、請求項１１に記載の光送信装置。
【請求項１３】  前記第１および第２の増幅率は、前記電気光変換手段への入力信号の電力が前記電気光変換手段の線形領域の上限を超えないよう設定されることを特徴とする、請求項１１または１２に記載の光送信装置。
【請求項１４】  前記光送信装置への入力信号は、無線信号と符号分割多重信号とを含んでおり、
前記光送信装置は、さらに、前記入力信号を無線信号と符号分割多重信号とに分離する分離手段を含む、請求項１１〜１３のいずれかに記載の光送信装置。
【請求項１５】  無線信号と符号分割多重信号とを光信号に変換し送信する光送信装置であって、
前記無線信号を、前記無線信号の電力に基づいた増幅率で増幅する第１の増幅手段と、
前記符号分割多重信号を、前記符号分割多重信号の電力に基づいた増幅率で増幅する第２の増幅手段と、
前記第１の増幅手段の出力信号を電気光変換して、第１の光信号を生成する第１の電気光変換手段と、
前記第２の増幅手段の出力信号を電気光変換して、第２の光信号を生成する第２の電気光変換手段と、
前記第１の電気光変換手段の出力信号と前記第２の電気光変換手段の出力信号とを多重し光信号として出力する多重手段とを備える、光送信装置。
【請求項１６】  前記無線信号の電力と前記符号分割多重信号の電力とは異なることを特徴とする、請求項１５に記載の光送信装置。
【請求項１７】  前記第１および第２の増幅率はそれぞれ、前記第１および第２の電気光変換手段への入力信号の電力が、前記第１および第２の電気光変換手段の線形領域の上限を超えないように設定されることを特徴とする、請求項１５または１６に記載の光送信装置。
【請求項１８】  前記光送信装置への入力信号は無線信号と符号分割多重信号とを含んでおり、
前記光送信装置は、さらに、前記入力信号を無線信号と符号分割多重信号とに分離する分離手段を含む、請求項１５〜１７のいずれかに記載の光送信装置。
【請求項１９】  無線信号と符号分割多重信号とを光信号に変換し送信する光送信方法であって、
前記無線信号を、当該無線信号の電力に基づいた増幅率で増幅する第１の増幅処理を施し、
前記符号分割多重信号を、当該符号分割多重信号の電力に基づいた増幅率で増幅する第２の増幅処理を施し、
前記第１の増幅処理が施された信号と、前記第２の増幅処理が施された信号とに合波処理を施し、
前記合波処理が施された信号に電気光変換処理を施して、光信号を生成し出力する、光送信方法。
【請求項２０】  前記無線信号の電力と前記符号分割多重信号の電力とは異なることを特徴とする、請求項１９に記載の光送信方法。
【請求項２１】  前記第１および第２の増幅率は、前記電気光変換処理への入力信号の電力が、前記電気光変換処理の線形領域の上限を超えないよう設定されることを特徴とする、請求項１９または２０に記載の光送信方法。
【請求項２２】  無線信号と符号分割多重信号とを光信号に変換し送信する光送信方法であって、
前記無線信号を、当該無線信号の電力に基づいた増幅率で増幅する第１の増幅処理を施し、
前記符号分割多重信号を、当該符号分割多重信号の電力に基づいた増幅率で増幅する第２の増幅処理を施し、
前記第１の増幅処理が施された信号に第１の電気光変換処理を施して第１の光信号を生成し、
前記第２の増幅処理が施された信号に第２の電気光変換処理を施して第２の光信号を生成し、
前記第１の電気光変換処理が施された信号と、前記第２の電気光変換処理が施された信号とを多重し光信号として出力する、光送信方法。
【請求項２３】  前記無線信号の電力と前記符号分割多重信号の電力とは異なることを特徴とする、請求項２２に記載の光送信方法。
【請求項２４】  前記第１および第２の増幅率はそれぞれ、前記第１および第２の電気光変換処理への入力信号の電力が、前記第１および第２の電気光変換処理の線形領域の上限を超えないよう設定されることを特徴とする、請求項２２または２３に記載の光送信方法。
【発明の詳細な説明】
【０００１】
【発明の属する技術分野】
本発明は、光伝送システムに関し、より特定的には、親局と子局（前進局）とからなる無線基地局で用いられ、親局・子局間で信号を光伝送するための光伝送システムに関する。
【０００２】
【従来の技術】
携帯電話、自動車電話等の移動体通信では、地下やトンネル内部など、無線基地局からの電波が到達しない不感地帯の解消が課題となる。この課題を解決するものとして、アンテナ機能を省略した親局とアンテナ機能だけを持つ複数の子局とからなる無線基地局がある。そこでは、複数の子局は、前進局として不感地帯等に分散配置され、親局と各子局とが光ファイバで接続される。親局・子局間の信号伝送は、無線信号（ＲＦ信号）を光信号に変換して伝送する光伝送方式によって行われる。
【０００３】
図９は、上記の無線基地局で用いられ、親局・子局間で信号を光伝送するための従来の光伝送システムの構成の一例を示すブロック図である。この種の光伝送システムは、例えば「無線基地局用光伝送装置」（真田他  ，Ｎａｔｉｏｎａｌ  Ｔｅｃｈｎｉｃａｌ  Ｒｅｐｏｒｔ  Ｖｏｌ．３９  Ｎｏ．４  ，Ａｕｇ．１９９３）に記載されている。
図９において、従来の光伝送システムは、伝送されるべき電気信号を増幅する増幅部９０と、増幅部９０の出力信号を電気光変換する電気光変換部９１と、伝送された光信号を光電気変換する光電気変換部９２とを備えている。増幅部９０および電気光変換部９１は、送信側に設けられ、光電気変換部９２は、受信側に設けられ、電気光変換部９１と光電気変換部９２とが光ファイバ９３で接続される。
電気光変換部９１は、入力信号の電力に関し、その変化に対する出力光信号の強度の変化が線形であるような所定の線形領域を有する。すなわち、この領域の上限を超える電力の信号が電気光変換部９１に入力されると、出力光信号が歪む。
光電気変換部９２は、入力光信号の強度に関し、その変化に対する出力信号の電力の変化が線形であるような別の所定の線形領域を有する。すなわち、この領域の上限を超える強度の光信号が光電気変換部９２に入力されると、出力信号が歪む。
増幅部９０は、光電気変換部９２からの出力信号の電力が雑音のそれよりも十分に大きくなるような増幅率であって、しかも、電気光変換部９１への入力信号の電力が上記所定の線形領域の上限を超えることなく、かつ光電気変換部９２への入力光信号の強度が上記別の所定の線形領域の上限を超えることのないような増幅率を有する。これにより、受信側では、雑音に比べて十分に大きな電力の、しかも歪みのない信号が得られる。
【０００４】
ところで、「ＣＤＭＡ方式携帯自動車電話システム」（社団法人電波産業会  ，ＡＲＩＢ  ＳＴＤ−Ｔ５３  １．０版）にあるように、移動体通信では、近年、回線数の急激な増加に伴い、従来方式と比べて回線収容数の格段に大きいＣＤＭＡ（符号分割多重）方式を採用することが提案された。そして、最近、ＣＤＭＡ方式による移動体通信が一部で実用化されており、さらに、今後、移動体通信に占めるＣＤＭＡ方式の割合が増えることが予想されている。
つまり、これからＣＤＭＡ方式への移行が完了するまでの期間は、現行方式とＣＤＭＡ方式とが併存するので、設備コストを抑える観点から、現行方式用の既存の設備を生かしつつ、ＣＤＭＡ方式への対応を図ることが重要となる。
【０００５】
【発明が解決しようとする課題】
そこで、上記従来の光伝送システムにおいて、現行方式で用いられるＲＦ信号とＣＤＭＡ方式で用いられる符号分割多重信号とを光伝送することを考える。この場合、受信側では、符号分割多重信号に関し、雑音に比べて十分に大きな電力の信号が得られない。なぜなら、現行方式およびＣＤＭＡ方式では、それぞれ信号の電力が規格で定められているが、それらに従えば、送信側に供給される入力信号の電力は、ＣＤＭＡ方式で用いられる符号分割多重信号の方が、従来方式で用いられるＲＦ信号よりも小さいからである。
なお、現行方式の規格については、「デジタル方式自動車電話システム」（財団法人電波システム開発センター  ，ＲＣＲ  ＳＴＤ−２７Ａ）に、ＣＤＭＡ方式の規格については、上記「ＣＤＭＡ方式携帯自動車電話システム」に、それぞれ記載されている。また、符号分割多重信号を光伝送する装置は、例えば、特願平４−２１９８９４公報に開示されている。
【０００６】
一方、符号分割多重信号に関し、雑音に比べて十分に大きな電力の信号が得られるように、増幅部９０の増幅率を高く設定したとする。しかし、この場合には、ＲＦ信号に関し、電気光変換部９１への入力信号の電力が上記所定の線形領域の上限を超えるか、または光電気変換部９２への入力光信号の強度が上記別の所定の線形領域の上限を超え、その結果、受信側で得られる信号が歪むことが予想される。
【０００７】
つまり、上記従来の光伝送システムにおいて、ＲＦ信号と符号分割多重信号とを光伝送した場合、増幅部９０の増幅率をどう設定しても、ＲＦ信号および符号分割多重信号の両方に関し、受信側で、雑音に比べて十分に大きな電力の、しかも歪みのない信号を得られるようにはできない。なお、付言すれば、上記特願平４−２１９８９４号公報には、ＲＦ信号および符号分割多重信号の両方を光伝送することは記載されていない。
【０００８】
それゆえに、本発明の目的は、例えば親局と１以上の子局とからなる無線基地局で用いられ、ＲＦ信号および符号分割多重信号を含む信号を、ＲＦ信号および符号分割多重信号の両方に関し、受信側で、雑音に比べて十分に大きな電力の、しかも歪みのない信号が得られるように、光伝送することができる光伝送システムを提供することである。
【０００９】
【課題を解決するための手段および発明の効果】
第１の発明は、無線信号と符号分割多重信号とを光信号に変換して送信する光送信装置と、光信号を受信する光受信装置とを備える光伝送システムであって、
光送信装置は、
無線信号を、当該無線信号の電力に基づいた増幅率で増幅する第１の増幅手段と、
符号分割多重信号を、符号分割多重信号の電力に基づいた増幅率で増幅する第２の増幅手段と、
第１の増幅手段の出力信号と第２の増幅手段の出力信号とを合波する合波手段と、
合波手段の出力信号を電気光変換し、光信号を生成する電気光変換手段とを備え、
光受信装置は、光信号を光電気変換する光電気変換手段を備えている。
【００１０】
第２の発明は、第１の発明において、無線信号の電力と符号分割多重信号の電力とが異なることを特徴としている。
【００１１】
上記第１および第２の発明では、ＲＦ信号（例えば周波数多重分割アクセス信号など、符号分割多重信号とは異なる移動体通信用無線信号；以下同様）および符号分割多重信号を伝送する際に、それぞれの信号電力に基づいた増幅率で増幅して伝送するので、受信側で得られるＲＦ信号と符号分割多重信号とを、共に雑音に比べて十分に大きな電力を持つようにできる。
【００１２】
第３の発明は、第１または第２の発明において、第１および第２の増幅率は、電気光変換手段への入力信号の電力が当該電気光変換手段の線形領域の上限を超えないよう設定されることを特徴としている。
【００１３】
上記第３の発明によれば、受信側で得られるＲＦ信号と符号分割多重信号とを、共に、電気光変換時に歪みを生じさせることなく、雑音に比べて十分に大きな電力を持つようにできる。
【００１４】
第４の発明は、第１〜３のいずれかの発明において、第１および第２の増幅率は、光電気変換手段への入力光信号の強度が当該光電気変換手段の線形領域の上限を超えないよう設定されることを特徴としている。
【００１５】
上記第４の発明では、受信側で得られるＲＦ信号と符号分割多重信号とを、共に、光電気変換時に、または電気光変換時および光電気変換時に、歪みを生じさせることなく、雑音に比べて十分に大きな電力を持つようにできる。
【００１６】
第５の発明は、第１〜４のいずれかの発明において、光送信装置への入力信号は無線信号と符号分割多重信号とを含んでおり、
光送信装置は、さらに、入力信号を無線信号と符号分割多重信号とに分離する分離手段を含むことを特徴としている。
【００１７】
上記第５の発明では、ＲＦ信号および符号分割多重信号を含む入力信号を伝送する際に、その入力信号をＲＦ信号と符号分割多重信とに分離して、それぞれの信号電力に基づいた増幅率で増幅して伝送するので、受信側で得られるＲＦ信号と符号分割多重信号とを、共に雑音に比べて十分に大きな電力を持つようにできる。
【００１８】
第６の発明は、無線信号と符号分割多重信号とを光信号に変換し送信する光送信装置と、光信号を受信する光受信装置とを備える光伝送システムであって、
光送信装置は、
無線信号を、当該無線信号の電力に基づいた増幅率で増幅する第１の増幅手段と、
符号分割多重信号を、当該符号分割多重信号の電力に基づいた増幅率で増幅する第２の増幅手段と、
第１の増幅手段の出力信号を電気光変換して、第１の光信号を生成する第１の電気光変換手段と、
第２の増幅手段の出力信号を電気光変換して、第２の光信号を生成する第２の電気光変換手段と、
第１の電気光変換手段の出力信号と、第２の電気光変換手段の出力信号とを多重し光信号として出力する多重手段とを備え、
光受信装置は、
出力光信号を、第１の光信号と第２の光信号とに分離する分離手段と、
第１の光信号を光電気変換する第１の光電気変換手段と、
第２の光信号を光電気変換する第２の光電気変換手段とを備えている。
【００１９】
第７の発明は、第６の発明において、無線信号の電力と符号分割多重信号の電力とが異なることを特徴としている。
【００２０】
上記第６および第７の発明では、ＲＦ信号および符号分割多重信号を伝送する際に、それぞれの信号電力に基づいた増幅率で増幅して伝送するので、受信側で得られるＲＦ信号と符号分割多重信号とを、共に雑音に比べて十分に大きな電力を持つようにできる。
【００２１】
第８の発明は、第６または７の発明において、
第１および第２の増幅率はそれぞれ、第１および第２の電気光変換手段への入力光信号の電力が、第１および第２の電気光変換手段の線形領域の上限を超えないよう設定されることを特徴としている。
【００２２】
上記第８の発明では、受信側で得られるＲＦ信号と符号分割多重信号とを、共に、電気光変換時に歪みを生じさせることなく、雑音に比べて十分に大きな電力を持つようにできる。
【００２３】
第９の発明は、第６〜８のいずれかの発明において、
第１および第２の増幅率はそれぞれ、第１および第２の光電気変換手段への入力光信号の強度が、第１および第２の光電気変換手段の線形領域の上限を超えないよう設定されることを特徴としている。
【００２４】
上記第９の発明では、受信側で得られるＲＦ信号と符号分割多重信号とを、共に、光電気変換時に、または電気光変換時および光電気変換時に、歪みを生じさせることなく、雑音に比べて十分に大きな電力を持つようにできる。
【００２５】
第１０の発明は、第６〜９のいずれかの発明において、光送信装置への入力信号は、無線信号と符号分割多重信号とを含んでおり、
光送信装置は、さらに、入力信号を無線信号と符号分割多重信号とに分離する分離手段を含むことを特徴としている。
【００２６】
上記第１０の発明では、ＲＦ信号および符号分割多重信号を含む入力信号を伝送する際に、その入力信号をＲＦ信号と符号分割多重信とに分離して、それぞれの信号電力に基づいた増幅率で増幅して伝送するので、受信側で得られるＲＦ信号と符号分割多重信号とを、共に雑音に比べて十分に大きな電力を持つようにできる。
【００２７】
第１１の発明は、無線信号と符号分割多重信号とを光信号に変換し送信する光送信装置であって、
無線信号を、無線信号の電力に基づいた増幅率で増幅する第１の増幅手段と、
符号分割多重信号を、符号分割多重信号の電力に基づいた増幅率で増幅する第２の増幅手段と、
第１の増幅手段の出力信号と第２の増幅手段の出力信号とを合波する合波手段と、
合波手段の出力信号を電気光変換し、光信号を生成する電気光変換手段とを備えている。
【００２８】
第１２の発明は、第１１の発明において、無線信号の電力と符号分割多重信号の電力とは異なることを特徴としている。
【００２９】
上記第１１および第１２の発明では、ＲＦ信号および符号分割多重信号を伝送する際に、それぞれの信号電力に基づいた増幅率で増幅して伝送するので、受信側で得られるＲＦ信号と符号分割多重信号とを、共に雑音に比べて十分に大きな電力を持つようにできる。
【００３０】
第１３の発明は、第１１または第１２の発明において、第１および第２の増幅率は、電気光変換手段への入力信号の電力が電気光変換手段の線形領域の上限を超えないよう設定されることを特徴としている。
【００３１】
上記第１３の発明では、受信側で得られるＲＦ信号と符号分割多重信号とを、共に、電気光変換時に歪みを生じさせることなく、雑音に比べて十分に大きな電力を持つようにできる。
【００３２】
第１４の発明は、第１１〜１３のいずれかの発明において、光送信装置への入力信号は、無線信号と符号分割多重信号とを含んでおり、
光送信装置は、さらに、入力信号を無線信号と符号分割多重信号とに分離する分離手段を含むことを特徴としている。
【００３３】
上記第１４の発明では、ＲＦ信号および符号分割多重信号を含む入力信号を伝送する際に、その入力信号をＲＦ信号と符号分割多重信とに分離して、それぞれの信号電力に基づいた増幅率で増幅して伝送するので、受信側で得られるＲＦ信号と符号分割多重信号とを、共に雑音に比べて十分に大きな電力を持つようにできる。
【００３４】
上記第１５の発明は、無線信号と符号分割多重信号とを光信号に変換し送信する光送信装置であって、
無線信号を、無線信号の電力に基づいた増幅率で増幅する第１の増幅手段と、
符号分割多重信号を、当該符号分割多重信号の電力に基づいた増幅率で増幅する第２の増幅手段と、
第１の増幅手段の出力信号を電気光変換して、第１の光信号を生成する第１の電気光変換手段と、
第２の増幅手段の出力信号を電気光変換して、第２の光信号を生成する第２の電気光変換手段と、
第１の電気光変換手段の出力信号と第２の電気光変換手段の出力信号とを多重し光信号として出力する多重手段とを備えている。
【００３５】
第１６の発明は、第１５の発明において、無線信号の電力と符号分割多重信号の電力とは異なることを特徴としている。
【００３６】
上記第１５および第１６の発明では、ＲＦ信号および符号分割多重信号を伝送する際に、それぞれの信号電力に基づいた増幅率で増幅して伝送するので、受信側で得られるＲＦ信号と符号分割多重信号とを、共に雑音に比べて十分に大きな電力を持つようにできる。
【００３７】
第１７の発明は、第１５または第１６の発明において、
第１および第２の増幅率はそれぞれ、第１および第２の電気光変換手段への入力信号の電力が、第１および第２の電気光変換手段の線形領域の上限を超えないよう設定されることを特徴としている。
【００３８】
上記第１７の発明では、受信側で得られるＲＦ信号と符号分割多重信号とを、共に、電気光変換時に歪みを生じさせることなく、雑音に比べて十分に大きな電力を持つようにできる。
【００３９】
第１８の発明は、第１５〜１７のいずれかの発明において、光送信装置への入力信号は無線信号と符号分割多重信号とを含んでおり、
光送信装置は、さらに、入力信号を無線信号と符号分割多重信号とに分離する分離手段を含むことを特徴としている。
【００４０】
上記第１８の発明では、ＲＦ信号および符号分割多重信号を含む入力信号を伝送する際に、その入力信号をＲＦ信号と符号分割多重信とに分離して、それぞれの信号電力に基づいた増幅率で増幅して伝送するので、受信側で得られるＲＦ信号と符号分割多重信号とを、共に雑音に比べて十分に大きな電力を持つようにできる。
【００４１】
第１９の発明は、無線信号と符号分割多重信号とを光信号に変換し送信する光送信方法であって、
無線信号を、当該無線信号の電力に基づいた増幅率で増幅する第１の増幅処理を施し、
符号分割多重信号を、当該符号分割多重信号の電力に基づいた増幅率で増幅する第２の増幅処理を施し、
第１の増幅処理が施された信号と、第２の増幅処理が施された信号とに合波処理を施し、
合波処理が施された信号に電気光変換処理を施して、光信号を生成し出力することを特徴としている。
【００４２】
第２０の発明は、第１９の発明において、無線信号の電力と符号分割多重信号の電力とは異なることを特徴としている。
【００４３】
上記第１９および第２０の発明では、ＲＦ信号および符号分割多重信号を伝送する際に、それぞれの信号電力に基づいた増幅率で増幅して伝送するので、受信側で得られるＲＦ信号と符号分割多重信号とを、共に雑音に比べて十分に大きな電力を持つようにできる。
【００４４】
第２１の発明は、第１９または第２０の発明において、第１および第２の増幅率は、電気光変換処理への入力信号の電力が、電気光変換処理の線形領域の上限を超えないよう設定されることを特徴としている。
【００４５】
上記第２１の発明では、ＲＦ信号および符号分割多重信号を含む入力信号を伝送する際に、その入力信号をＲＦ信号と符号分割多重信とに分離して、それぞれの信号電力に基づいた増幅率で増幅して伝送するので、受信側で得られるＲＦ信号と符号分割多重信号とを、共に雑音に比べて十分に大きな電力を持つようにできる。
【００４６】
第２２の発明は、無線信号と符号分割多重信号とを光信号に変換し送信する光送信方法であって、
無線信号を、無線信号の電力に基づいた増幅率で増幅する第１の増幅処理を施し、
符号分割多重信号を、符号分割多重信号の電力に基づいた増幅率で増幅する第２の増幅処理を施し、
第１の増幅処理が施された信号に第１の電気光変換処理を施して第１の光信号を生成し、
第２の増幅処理が施された信号に第２の電気光変換処理を施して第２の光信号を生成し、
第１の電気光変換処理が施された信号と、第２の電気光変換処理が施された信号とを多重し光信号として出力することを特徴とする。
【００４７】
第２３の発明は、第２２の発明において、無線信号の電力と符号分割多重信号の電力とは異なることを特徴としている。
【００４８】
上記第２２および第２３の発明では、ＲＦ信号および符号分割多重信号を伝送する際に、それぞれの信号電力に基づいた増幅率で増幅して伝送するので、受信側で得られるＲＦ信号と符号分割多重信号とを、共に雑音に比べて十分に大きな電力を持つようにできる。
【００４９】
第２４の発明は、第１および第２の増幅率はそれぞれ、第１および第２の電気光変換処理への入力信号の電力が、第１および第２の電気光変換処理の線形領域の上限を超えないよう設定されることを特徴としている。
【００５０】
上記第２４の発明では、ＲＦ信号および符号分割多重信号を含む入力信号を伝送する際に、その入力信号をＲＦ信号と符号分割多重信とに分離して、それぞれの信号電力に基づいた増幅率で増幅して伝送するので、受信側で得られるＲＦ信号と符号分割多重信号とを、共に雑音に比べて十分に大きな電力を持つようにできる。
【００５１】
【発明の実施の形態】
以下、本発明の実施の形態について、図面を参照しながら説明する。
（第１の実施形態）
図１は、本発明の第１の実施形態に係る光伝送システムの構成を示すブロック図である。図１において、光伝送システムは、分離部１０と、増幅部１１および１２と、合波部１３と、電気光変換部１４と、光電気変換部１５とを備えている。分離部１０、増幅部１１および１２、合波部１３および電気光変換部１４は、送信側に設けられ、光電気変換部１５は、受信側に設けられる。
【００５２】
図２は、図１のシステムが適用される、現行方式およびＣＤＭＡ方式の両方式による移動体通信を行うための無線基地局の一例を示す模式図である。図２において、無線基地局は、アンテナ２１ａを省略した親局２０と、アンテナ２１ａを持つ１以上の子局２１とからなる。１以上の子局２１は、前進局として不感地帯等に分散配置され、親局２０と各子局２１とが光ファイバ２２で接続される。
図１の光伝送システムは、図２の無線基地局に適用されて、親局２０・子局２１間の信号伝送を行う。すなわち、現行方式で用いられるＲＦ信号（例えば周波数多重分割アクセス信号など、符号分割多重信号とは異なる移動体通信用無線信号；以下同様）、およびＣＤＭＡ方式で用いられる符号分割多重信号を含む入力信号を光信号に変換して、光ファイバ２２を通じて伝送する。
【００５３】
再び図１において、分離部１０は、入力信号を、ＲＦ信号と符号分割多重信号とに分離する。増幅部１１は、伝送されるべきＲＦ信号を増幅する。増幅部１２１は、伝送されるべき符号分割多重信号を増幅する。合波部１３は、増幅されたＲＦ信号と増幅された符号分割多重信号とを合波（周波数多重）する。電気光変換部１４は、合波部１３の出力信号を電気光変換する。光電気変換部１５は、伝送された光信号（電気光変換部１４の出力光信号）を光電気変換する。
【００５４】
電気光変換部１４は、入力信号の電力に関し、その変化に対する出力光信号の強度の変化が線形であるような所定の線形領域を有する。すなわち、この領域の上限を超える電力の信号が電気光変換部１４に入力されると、出力光信号が歪む。
光電気変換部１５は、入力光信号の強度に関し、その変化に対する出力信号の電力の変化が線形であるような別の所定の線形領域を有する。すなわち、この領域の上限を超える強度の光信号が光電気変換部１５に入力されると、出力信号が歪む。
【００５５】
増幅部１１は、光電気変換部１５からの出力信号に含まれるＲＦ信号の電力が雑音のそれよりも十分に大きくなるような増幅率で増幅を行う。それにより、受信側では、雑音に比べて十分に大きな電力の（つまりＣ／Ｎ比の良好な）ＲＦ信号が得られる。
最も好ましくは、増幅部１１は、上記の増幅率であって、しかも、電気光変換部１４への入力信号の電力が上記所定の線形領域の上限を超えることなく、かつ光電気変換部１５への入力光信号の強度が上記別の所定の線形領域の上限を超えることのないような増幅率で増幅を行う。それにより、受信側では、雑音に比べて十分に大きな電力の、しかも歪みのないＲＦ信号が得られる。
【００５６】
増幅部１２は、光電気変換部１５からの出力信号に含まれる符号分割多重信号の電力が雑音のそれよりも十分に大きくなるような増幅率で増幅を行う。それにより、受信側では、雑音に比べて十分に大きな電力の（つまりＣ／Ｎ比の良好な）符号分割多重信号が得られる。
最も好ましくは、増幅部１２は、上記の増幅率であって、しかも、電気光変換部１４への入力信号の電力が上記所定の線形領域の上限を超えることなく、かつ光電気変換部１５への入力光信号の強度が上記別の所定の線形領域の上限を超えることのないような増幅率で増幅を行う。それにより、受信側では、雑音に比べて十分に大きな電力の、しかも歪みのない符号分割多重信号が得られる。
【００５７】
以上のように構成された光伝送システムについて、以下、図２の無線基地局に適用された場合の動作を説明する。
最初、子局２１から親局２０へと信号を伝送する動作を説明する。
図３は、図１の光伝送システムが適用された図２の無線基地局の構成の一例を示すブロック図である。図３には、子局２１から親局２０へ信号を伝送する場合に必要な要素が示されている。図３において、アンテナ２１ａを備えた子局２１には、図１の分離部１０、増幅部１１および１２、合波部１３および電気光変換部１４が設けられ、親局２０には、光電気変換部１５が設けられる。
【００５８】
子局２１の通話エリア内には、現行方式用の移動端末と、ＣＤＭＡ方式用の移動端末とが混在している（図示せず）。これら移動端末側からは、子局２１に向けて、ＲＦ信号と符号分割多重信号とが送信される。子局２１では、アンテナ２１ａによって、これらＲＦ信号および符号分割多重信号が受信され、分離部１０へと入力される。分離部１０は、ＲＦ信号および符号分割多重信号を含む入力信号を、ＲＦ信号と符号分割多重信号とに分離する。
【００５９】
なお、分離部１０は、例えば、入力信号を２分岐する分岐部と、特定の周波数の信号を選択的に透過させるフィルタとを用いて実現できる。分離部１０の構成の一例を、図４に示す。図４において、分離部１０は、分岐部４０およびフィルタ４１および４２を含む。フィルタ４１は、その透過帯域がＲＦ信号用の帯域を含み、かつ符号分割多重信号用の帯域を含まないような特性を有するフィルタである。フィルタ４２は、その透過帯域が符号分割多重信号用の帯域を含み、かつＲＦ信号用の帯域を含まないような特性を有するフィルタである。従って、ＲＦ信号および符号分割多重信号が分岐部４０へと入力されると、フィルタ４１からはＲＦ信号が、フィルタ４２からは符号分割多重信号がそれぞれ出力される。
また、アンテナ２１ａおよび分離部１０に代えて、ＲＦ信号用のアンテナおよび符号分割多重信号用のアンテナを設けても、入力信号を２分岐することができる。つまり、ＲＦ信号用のアンテナおよび符号分割多重信号用のアンテナによって、上記と同様の信号分離機能を実現できる。
【００６０】
分離して得られたＲＦ信号は、増幅部１１へと与えられ、そこで増幅される。一方、分離して得られた符号分割多重信号は、増幅部１２へと与えられ、そこで増幅される。そして、増幅部１１の出力信号と増幅部１２の出力信号とが合波部１３において合波され、電気光変換部１４へと入力される。電気光変換部１４は、入力された信号を電気光変換して、得られた光信号を光ファイバ２２中に放射する。
【００６１】
上記のようにして子局２１から送出された光信号は、光ファイバ２２中を伝搬して、親局２０に達する。親局２０では、光電気変換部１５が、子局２１からの光信号を光電気変換する。そして、光電気変換部１５の出力信号を周波数分離すれば（そのための分離部は図示していない）、ＲＦ信号と符号分割多重信号とが得られる。
【００６２】
以上の動作において、増幅部１１が、光電気変換部１５からの出力信号に含まれるＲＦ信号の電力が雑音のそれよりも十分に大きくなり、しかも、電気光変換部１４への入力信号の電力が電気光変換部１４の線形領域の上限を超えることなく、かつ光電気変換部１５への入力光信号の強度が光電気変換部１５の線形領域の上限を超えることのないような増幅率で増幅を行うので、親局２０で得られるＲＦ信号は、雑音に比べて十分に大きな電力を持ち、歪むこともない。
【００６３】
また、増幅部１２が、光電気変換部１５からの出力信号に含まれる符号分割多重信号の電力が雑音のそれよりも十分に大きくなり、しかも、電気光変換部１４への入力信号の電力が電気光変換部１４の線形領域の上限を超えることなく、かつ光電気変換部１５への入力光信号の強度が光電気変換部１５の線形領域の上限を超えることのないような増幅率で増幅を行うので、親局２０で得られる符号分割多重信号は、雑音に比べて十分に大きな電力を持ち、歪むこともない。
なお、増幅部１１および１２の増幅率はそれぞれ、予め決められた値に固定されていても、伝送中、Ｃ／Ｎ比や歪み量の変化に応じて調節するようにしてもよい。
【００６４】
次に、親局２０から子局２１へと信号を伝送する動作を説明する。
図５は、図１の光伝送システムが適用された図２の無線基地局の構成の別の一例を示すブロック図である。図５には、親局２０から子局２１へ信号を伝送する場合に必要な要素が示されている。図５において、アンテナ２１ａを備えた子局２１には、図１の光電気変換部１５が設けられ、親局２０には、分離部１０、増幅部１１および１２、合波部１３および電気光変換部１４が設けられる。
【００６５】
親局２０へは、図示しないセンタ局から、所定の伝送経路を通じ、ＲＦ信号および符号分割多重信号を含む信号が伝送されてくる。親局２０では、分離部１０が、センタ局からの信号をＲＦ信号と符号分割多重信号とに分離する。
分離して得られたＲＦ信号は、増幅部１１へと与えられ、そこで増幅される。一方、分離して得られた符号分割多重信号は、増幅部１２へと与えられ、そこで増幅される。そして、増幅部１１の出力信号と増幅部１２の出力信号とが合波部１３において合波され、電気光変換部１４へと入力される。電気光変換部１４は、入力された信号を電気光変換して、得られた光信号を光ファイバ２２中に放射する。
【００６６】
上記のようにして親局２０から送出された光信号は、光ファイバ２２中を伝搬して、子局２１に達する。子局２１では、光電気変換部１５が、入力光信号を光電気変換する。そして、光電気変換部１５の出力信号を周波数分離すれば（そのための分離部は図示していない）、ＲＦ信号と符号分割多重信号とが得られる。子局２１からは、上記のようにして得られたＲＦ信号と符号分割多重信号とが、アンテナ２１ａを通じ、子局２１の通話エリア内の各移動端末に向けて送信される。
【００６７】
以上の動作において、増幅部１１が、光電気変換部１５からの出力信号に含まれるＲＦ信号の電力が雑音のそれよりも十分に大きくなり、しかも、電気光変換部１４への入力信号の電力が電気光変換部１４の線形領域の上限を超えることなく、かつ光電気変換部１５への入力光信号の強度が光電気変換部１５の線形領域の上限を超えることのないような増幅率で増幅を行うので、子局２１で得られるＲＦ信号は、雑音に比べて十分に大きな電力を持ち、歪むこともない。
【００６８】
また、増幅部１２が、光電気変換部１５からの出力信号に含まれる符号分割多重信号の電力が雑音のそれよりも十分に大きくなり、しかも、電気光変換部１４への入力信号の電力が電気光変換部１４の線形領域の上限を超えることなく、かつ光電気変換部１５への入力光信号の強度が光電気変換部１５の線形領域の上限を超えることのないような増幅率で増幅を行うので、子局２１で得られる符号分割多重信号は、雑音に比べて十分に大きな電力を持ち、歪むこともない。
なお、増幅部１１および１２の増幅率はそれぞれ、子局２１から親局２０へ信号を伝送する場合と同様、予め決められた値に固定されていても、伝送中、Ｃ／Ｎ比や歪み量の変化に応じて調節するようにしてもよい。
【００６９】
以上のように、第１の実施形態によれば、ＲＦ信号および符号分割多重信号を含む信号を伝送する際に、その信号をＲＦ信号と符号分割多重信とに分離して、それぞれの電力に適した増幅率で増幅して伝送するようにしたので、受信側で得られるＲＦ信号と符号分割多重信号とは、共に雑音に比べて十分に大きな電力を持ち、しかも歪むことがなくなる。
【００７０】
（第２の実施形態）
図６は、本発明の第２の実施形態に係る光伝送システムの構成を示すブロック図である。図６において、光伝送システムは、分離部６０と、増幅部６１および６２と、電気光変換部６３および６４と、波長多重部６５と、波長分離部６６と、光電気変換部６７および６８とを備えている。分離部６０、増幅部６１および６２、電気光変換部６３および６４および波長多重部６５は、送信側に設けられ、波長分離部６６および光電気変換部６７および６８は、受信側に設けられる。
【００７１】
図６のシステムは、図２と同様の無線基地局に適用される（第１の実施形態参照）。図６の光伝送システムは、図２の無線基地局に適用されて、親局２０・子局２１間の信号伝送を行う。すなわち、現行方式で用いられるＲＦ信号、およびＣＤＭＡ方式で用いられる符号分割多重信号を含む信号を光信号に変換して、光ファイバ２２を通じて伝送する。
【００７２】
再び図６において、分離部６０は、入力信号を、ＲＦ信号と符号分割多重信号とに分離する。増幅部６１は、伝送されるべきＲＦ信号を増幅する。増幅部６２は、伝送されるべき符号分割多重信号を増幅する。電気光変換部６３は、増幅されたＲＦ信号を電気光変換する。電気光変換部６４は、増幅された符号分割多重信号を電気光変換する。波長多重部６５は、ＲＦ信号と対応する光信号（電気光変換部６３の出力信号）と符号分割多重信号と対応する光信号（電気光変換部６４の出力信号）とを多重する。波長分離部６６は、伝送された光信号（波長多重部６５の出力信号）を、ＲＦ信号と対応する光信号と、符号分割多重信号と対応する光信号とに分離する。光電気変換部６７は、ＲＦ信号と対応する光信号を光電気変換する。光電気変換部６８は、符号分割多重信号と対応する光信号を光電気変換する。
【００７３】
電気光変換部６３は、入力信号の電力に関し、その変化に対する出力光信号の強度の変化が線形であるような所定の線形領域を有する。すなわち、この領域の上限を超える電力の信号が電気光変換部６３に入力されると、出力光信号が歪む。
電気光変換部６４は、入力信号の電力に関し、その変化に対する出力光信号の強度の変化が線形であるような他の所定の線形領域を有する。すなわち、この領域の上限を超える電力の信号が電気光変換部６４に入力されると、出力光信号が歪む。
【００７４】
光電気変換部６７は、入力光信号の強度に関し、その変化に対する出力信号の電力の変化が線形であるような別の所定の線形領域を有する。すなわち、この領域の上限を超える強度の光信号が光電気変換部６７に入力されると、出力信号が歪む。
光電気変換部６８は、入力光信号の強度に関し、その変化に対する出力信号の電力の変化が線形であるようなさらに他の所定の線形領域を有する。すなわち、この領域の上限を超える強度の光信号が光電気変換部６８に入力されると、出力信号が歪む。
【００７５】
増幅部６１は、光電気変換部６７からの出力信号に含まれるＲＦ信号の電力が雑音のそれよりも十分に大きくなるような増幅率で増幅を行う。それにより、受信側では、雑音に比べて十分に大きな電力の（つまりＣ／Ｎ比の良好な）ＲＦ信号が得られる。
最も好ましくは、増幅部６１は、上記の増幅率であって、しかも、電気光変換部６３への入力信号の電力が上記所定の線形領域の上限を超えることなく、かつ光電気変換部６７への入力光信号の強度が上記別の所定の線形領域の上限を超えることのないような増幅率で増幅を行う。それにより、受信側では、雑音に比べて十分に大きな電力の、しかも歪みのないＲＦ信号が得られる。
【００７６】
増幅部６２は、光電気変換部６８からの出力信号に含まれる符号分割多重信号の電力が雑音のそれよりも十分に大きくなるような増幅率で増幅を行う。それにより、受信側では、雑音に比べて十分に大きな電力の（つまりＣ／Ｎ比の良好な）符号分割多重信号が得られる。
最も好ましくは、増幅部６２は、上記の増幅率であって、しかも、電気光変換部６４への入力信号の電力が上記他の所定の線形領域の上限を超えることなく、かつ光電気変換部６８への入力光信号の強度が上記さらに他の所定の線形領域の上限を超えることのないような増幅率で増幅を行う。それにより、受信側では、雑音に比べて十分に大きな電力の、しかも歪みのない符号分割多重信号が得られる。
【００７７】
以上のように構成された光伝送システムについて、以下、図２の無線基地局に適用された場合の動作を説明する。
最初、子局２１から親局２０へと信号を伝送する動作を説明する。
図７は、図６の光伝送システムが適用された図２の無線基地局の構成の一例を示すブロック図である。図７には、子局２１から親局２０へ信号を伝送する場合に必要な要素が示されている。図７において、アンテナ２１ａを備えた子局２１には、図６の分離部６０、増幅部６１および６２、電気光変換部６３および６４および波長多重部６５が設けられ、親局２０には、波長分離部６６および光電気変換部６７および６８が設けられる。
【００７８】
子局２１の通話エリア内には、現行方式用の移動端末と、ＣＤＭＡ方式用の移動端末とが混在している（図示せず）。これら移動端末側からは、子局２１に向けて、ＲＦ信号と符号分割多重信号とが送信される。子局２１では、アンテナ２１ａによって、これらＲＦ信号および符号分割多重信号が受信され、分離部６０へと入力される。分離部６０は、ＲＦ信号および符号分割多重信号を含む入力信号を、ＲＦ信号と符号分割多重信号とに分離する。
なお、分離部６０は、例えば、入力信号を２分岐する分岐部と、特定の周波数の信号を選択的に透過させるフィルタとを用いて実現できる（図４参照）。
【００７９】
分離して得られたＲＦ信号は、増幅部６１へと与えられ、そこで増幅される。一方、分離して得られた符号分割多重信号は、増幅部６２へと与えられ、そこで増幅される。電気光変換部６３は、増幅されたＲＦ信号を電気光変換する。電気光変換部６４は、増幅された符号分割多重信号を電気光変換する。そして、電気光変換部６３の出力信号と電気光変換部６４の出力信号とが波長多重部６５において多重され、光ファイバ２２中に放射される。
【００８０】
上記のようにして子局２１から送出された光信号は、光ファイバ２２中を伝搬して、親局２０に達する。親局２０では、波長分離部６６が、子局２１からの光信号を、ＲＦ信号と対応する光信号と、符号分割多重信号と対応する光信号とに分離する。
なお、波長分離部６６は、例えば、入力信号を２分岐する分岐部と、特定の波長の光信号を選択的に透過させるフィルタとを用いて実現できる。
ＲＦ信号と対応する光信号は、光電気変換部６７において光電気変換される。符号分割多重信号と対応する光信号は、光電気変換部６８において光電気変換される。こうして、ＲＦ信号と符号分割多重信号とが得られる。
【００８１】
以上の動作において、増幅部６１が、光電気変換部６７からの出力信号（ＲＦ信号）の電力が雑音のそれよりも十分に大きくなり、しかも、電気光変換部６３への入力信号の電力が電気光変換部６３の線形領域の上限を超えることなく、かつ光電気変換部６７への入力光信号の強度が光電気変換部６７の線形領域の上限を超えることのないような増幅率で増幅を行うので、親局２０で得られるＲＦ信号は、雑音に比べて十分に大きな電力を持ち、歪むこともない。
【００８２】
また、増幅部６２が、光電気変換部６８からの出力信号（符号分割多重信号）の電力が雑音のそれよりも十分に大きくなり、しかも、電気光変換部６４への入力信号の電力が電気光変換部６４の線形領域の上限を超えることなく、かつ光電気変換部６８への入力光信号の強度が光電気変換部６８の線形領域の上限を超えることのないような値に設定されているので、親局２０で得られる符号分割多重信号は、雑音に比べて十分に大きな電力を持ち、歪むこともない。
なお、増幅部６１および６２の増幅率はそれぞれ、予め決められた値に固定されていても、伝送中、Ｃ／Ｎ比や歪み量の変化に応じて調節するようにしてもよい。
【００８３】
次に、親局２０から子局２１へと信号を伝送する動作を説明する。
図８は、図６の光伝送システムが適用された図２の無線基地局の構成の別の一例を示すブロック図である。図８には、親局２０から子局２１へ信号を伝送する場合に必要な要素が示されている。図８において、一対のアンテナ２１ａを備えた子局２１には、図６の波長分離部６６および光電気変換部６７および６８が設けられ、親局２０には、分離部６０、増幅部６１および６２、電気光変換部６３および６４および波長多重部６５が設けられる。
【００８４】
親局２０へは、図示しないセンタ局から、所定の伝送経路を通じて、ＲＦ信号および符号分割多重信号を含む信号が伝送されてくる。親局２０では、分離部６０が、センタ局からの信号をＲＦ信号と符号分割多重信号とに分離する。
分離して得られたＲＦ信号は、増幅部６１へと与えられ、そこで増幅される。一方、分離して得られた符号分割多重信号は、増幅部６２へと与えられ、そこで増幅される。電気光変換部６３は、増幅されたＲＦ信号を電気光変換する。電気光変換部６４は、増幅された符号分割多重信号を電気光変換する。そして、電気光変換部６３の出力信号と電気光変換部６４の出力信号とが波長多重部６５において多重され、光ファイバ２２中に放射される。
【００８５】
上記のようにして親局２０から送出された光信号は、光ファイバ２２中を伝搬して、子局２１に達する。子局２１では、波長分離部６６が、親局２０からの光信号を、ＲＦ信号と対応する光信号と、符号分割多重信号と対応する光信号とに分離する。ＲＦ信号と対応する光信号は、光電気変換部６７において光電気変換される。符号分割多重信号と対応する光信号は、光電気変換部６８において光電気変換される。こうして、ＲＦ信号と符号分割多重信号とが得られる。子局２１からは、上記のようにして得られたＲＦ信号と符号分割多重信号とが、一対のアンテナ２１ａを通じ、子局２１の通話エリア内の各移動端末側に向けて送信される。
【００８６】
以上の動作において、増幅部６１が、光電気変換部６７から出力されるＲＦ信号の電力が雑音のそれよりも十分に大きくなり、しかも、電気光変換部６３への入力信号の電力が電気光変換部６３の線形領域の上限を超えることなく、かつ光電気変換部６７への入力光信号の強度が光電気変換部６７の線形領域の上限を超えることのないような増幅率で増幅を行うので、子局２１で得られるＲＦ信号は、雑音に比べて十分に大きな電力を持ち、歪むこともない。
【００８７】
また、増幅部６２が、光電気変換部６８から出力される符号分割多重信号の電力が雑音のそれよりも十分に大きくなり、しかも、電気光変換部６４への入力信号の電力が電気光変換部６４の線形領域の上限を超えることなく、かつ光電気変換部６８への入力光信号の強度が光電気変換部６８の線形領域の上限を超えることのないような増幅率で増幅を行うので、子局２１で得られる符号分割多重信号は、雑音に比べて十分に大きな電力を持ち、歪むこともない。
なお、増幅部６１および６２の増幅率はそれぞれ、子局２１から親局２０へ信号を伝送する場合と同様、予め決められた値に固定されていても、伝送中、Ｃ／Ｎ比や歪み量の変化に応じて調節するようにしてもよい。
【００８８】
以上のように、第２の実施形態によれば、ＲＦ信号および符号分割多重信号を含む信号を伝送する際に、その信号をＲＦ信号と符号分割多重信号とを分離して、それぞれの電力に適した増幅率で増幅して伝送するようにしたので、受信側で得られるＲＦ信号と符号分割多重信号とは、共に雑音に比べて十分に大きな電力を持ち、しかも歪むことがなくなる。
【００８９】
なお、第１の実施形態では、分離して得られたＲＦ信号と符号分割多重信号とは、どちらも電気光変換部１４および光電気変換部１５において変換処理されたのに対し、第２の実施形態では、分離して得られたＲＦ信号は、電気光変換部６３および光電気変換部６７において、分離して得られた符号分割多重信号は、電気光変換部６４および光電気変換部６８において、それぞれ変換処理される。よって、第２の実施形態は、第１の実施形態と比べ、構成はやや複雑である。しかし、同程度のＣ／Ｎ比および歪特性を得ようとした場合、第２の実施形態の方が、第１の実施形態より、電気光変換部・光電気変換部の線形領域の上限が低くてよい。なぜなら、電気光変換部６３への入力信号の電力と、電気光変換部６４への入力信号の電力とは、それぞれ電気光変換部１４への入力信号の電力よりも小さくなり、また、光電気変換部６７への入力光信号の強度と、光電気変換部６８への入力光信号の強度とは、それぞれ光電気変換部１５への入力光信号の強度よりも小さくなるからである。
【図面の簡単な説明】
【図１】
本発明の第１の実施形態に係る光伝送システムの構成を示すブロック図である。
【図２】
図１のシステムが適用される、現行方式およびＣＤＭＡ方式の両方式による移動体通信を行うための無線基地局の一例を示す模式図である。
【図３】
図１の光伝送システムが適用された図２の無線基地局の構成の一例（子局２１から親局２０へ信号を伝送する場合）を示すブロック図である。
【図４】
図１の分離部１０の構成の一例を示すブロック図である。
【図５】
図１の光伝送システムが適用された図２の無線基地局の構成の別の一例（親局２０から子局２１へ信号を伝送する場合）を示すブロック図である。
【図６】
本発明の第２の実施形態に係る光伝送システムの構成を示すブロック図である。
【図７】
図６の光伝送システムが適用された図２の無線基地局の構成の一例（子局２１から親局２０へ信号を伝送する場合）を示すブロック図である。
【図８】
図６の光伝送システムが適用された図２の無線基地局の構成の別の一例（親局２０から子局２１へ信号を伝送する場合）を示すブロック図である。
【図９】
アンテナ機能を省略した親局とアンテナ機能だけを持つ複数の子局（前進局）とからなる無線基地局で用いられ、親局・子局間で信号を光伝送するための従来の光伝送システムの構成の一例を示すブロック図である。
【符号の説明】
１０，６０  分離部
１１，６１，６２  増幅部
１３  合波部
１４，６３，６４  電気光変換部
１５，６７，６８  光電気変換部
２０  親局
２１  子局
２１ａ  アンテナ
２２  光ファイバ
４０  分岐部
４１、４２  フィルタ
６５  波長多重部
６６  波長分離部